(57)【要約】【課題】データ記録媒体の表裏及び回転状態を検出すること。【解決手段】通信システム１は、データが記録されたデータ記録媒体２と、データを無線通信により非接触で読み取るデータ読取装置とを備える。データ記録媒体２は、データ読取装置に対向する第１仮想領域Ｖａ１を当該第１仮想領域Ｖａ１における中心位置Ｃ１を囲む周方向に沿って並列する４つの第１分割領域Ｄ１１〜Ｄ１４に分割した場合に、２つの第１分割領域Ｄ１１，Ｄ１２にそれぞれ設けられ、通電により電波をそれぞれ送信する２つの媒体側アンテナ２２４，２２５を備える。２つの媒体側アンテナ２２４，２２５は、送信する電波の電波強度が互いに異なるように設定されている。【選択図】図１
2019075753.tif 000002
【特許請求の範囲】
【請求項１】
データが記録されたデータ記録媒体と、前記データを無線通信により非接触で読み取るデータ読取装置とを備えた通信システムであって、
前記データ記録媒体は、
前記データ読取装置に対向する第１仮想領域を当該第１仮想領域における中心位置を囲む周方向に沿って並列する複数の第１分割領域に分割した場合に、当該複数の第１分割領域のうち２つの第１分割領域にそれぞれ設けられ、通電により電波をそれぞれ送信する２つの媒体側アンテナを備え、
前記２つの媒体側アンテナは、
送信する電波の電波強度が互いに異なるように設定され、
前記データ読取装置は、
前記第１仮想領域に対向する第２仮想領域を当該第２仮想領域における中心位置を囲む周方向に沿って並列する前記第１分割領域と同一の数の複数の第２分割領域に分割した場合に、当該複数の第２分割領域の全てにそれぞれ設けられ、前記２つの媒体側アンテナのうち対向する媒体側アンテナから送信された電波の電波強度を検出する複数の検出部を備える
ことを特徴とする通信システム。
【請求項２】
前記２つの媒体側アンテナは、
ループアンテナにてそれぞれ構成され、巻き数が互いに異なることで送信する電波の電波強度が互いに異なる
ことを特徴とする請求項１に記載の通信システム。
【請求項３】
前記２つの媒体側アンテナは、
ループアンテナにてそれぞれ構成され、開口面積が互いに異なることで送信する電波の電波強度が互いに異なる
ことを特徴とする請求項１または２に記載の通信システム。
【請求項４】
前記データ記録媒体は、
前記データを記録するＩＣチップを備え、
前記２つの媒体側アンテナは、
前記ＩＣチップに直列に接続されている
ことを特徴とする請求項２または３に記載の通信システム。
【請求項５】
前記複数の検出部は、
ループアンテナで構成された検出用アンテナをそれぞれ有し、
前記データ読取装置は、
複数の前記検出用アンテナの開口の全てを囲むループアンテナで構成され、前記２つの媒体側アンテナから送信された前記データを受信する受信用アンテナを備える
ことを特徴とする請求項４に記載の通信システム。
【請求項６】
記録したデータを無線通信により非接触でデータ読取装置に送信するデータ記録媒体であって、
前記データ読取装置に対向する第１仮想領域を当該第１仮想領域における中心位置を囲む周方向に沿って並列する複数の第１分割領域に分割した場合に、当該複数の第１分割領域のうち２つの第１分割領域にそれぞれ設けられ、通電により電波をそれぞれ送信する２つの媒体側アンテナを備え、
前記２つの媒体側アンテナは、
送信する電波の電波強度が互いに異なるように設定され、
前記データ読取装置は、
前記第１仮想領域に対向する第２仮想領域を当該第２仮想領域における中心位置を囲む周方向に沿って並列する前記第１分割領域と同一の数の複数の第２分割領域に分割した場合に、当該複数の第２分割領域の全てにそれぞれ設けられ、前記２つの媒体側アンテナのうち対向する媒体側アンテナから送信された電波の電波強度を検出する複数の検出部を備える
ことを特徴とするデータ記録媒体。
【請求項７】
データ記録媒体に記録されたデータを無線通信により非接触で読み取るデータ読取装置であって、
前記データ記録媒体は、
当該データ読取装置に対向する第１仮想領域を当該第１仮想領域における中心位置を囲む周方向に沿って並列する複数の第１分割領域に分割した場合に、当該複数の第１分割領域のうち２つの第１分割領域にそれぞれ設けられ、通電により電波をそれぞれ送信する２つの媒体側アンテナを備え、
前記２つの媒体側アンテナは、
送信する電波の電波強度が互いに異なるように設定され、
当該データ読取装置は、
前記第１仮想領域に対向する第２仮想領域を当該第２仮想領域における中心位置を囲む周方向に沿って並列する前記第１分割領域と同一の数の複数の第２分割領域に分割した場合に、当該複数の第２分割領域の全てにそれぞれ設けられ、前記２つの媒体側アンテナのうち対向する媒体側アンテナから送信された電波の電波強度を検出する複数の検出部を備える
ことを特徴とするデータ読取装置。
【発明の詳細な説明】
【技術分野】
【０００１】
本発明は、ＲＦＩＤ（Radio Frequency Identification）タグ等が内蔵されたデータ記録媒体と、当該データ記録媒体に記録されたデータを無線通信により非接触で読み取るデータ読取装置とを備えた通信システム、データ記録媒体、及びデータ読取装置に関する。
【背景技術】
【０００２】
従来、ＲＦＩＤタグ等が内蔵されたデータ記録媒体と当該データ記録媒体に記録されたデータを無線通信により非接触で読み取るデータ読取装置とを備えた通信システムとして、カードを用いた各種のゲームに利用される通信システムが知られている（例えば、特許文献１参照）。
特許文献１に記載の通信システムでは、データ記録媒体は、カード本体にＲＦＩＤタグが内蔵されたカード型媒体で構成されている。ここで、ＲＦＩＤタグは、カード本体における２つの第１領域のうち一方の第１領域に設けられている。一方、データ読取装置は、データ記録媒体が載置される載置面を有する。そして、当該載置面において、上述した２つの第１領域にそれぞれ対向する２つの第２領域のうち一方の第２領域には、ＲＦＩＤタグと無線通信可能とする表面判別用アンテナが設けられている。また、他方の第２領域には、ＲＦＩＤタグと無線通信可能とする裏面判別用アンテナが設けられている。
以上の構成により、特許文献１に記載の通信システムでは、データ記録媒体の表裏を判別可能とし、ゲームの高度化及び複雑化に対応したシステムを構築している。
【先行技術文献】
【特許文献】
【０００３】
【特許文献１】特開２００６−２７７６６９号公報
【発明の概要】
【発明が解決しようとする課題】
【０００４】
ところで、データ記録媒体の表裏の他、データ記録媒体の回転状態（例えば、データ記録媒体の中心位置周りに当該データ記録媒体を９０°毎に回転させた状態等）によって異なるゲームが展開されれば、ゲーム内容の多様化をさらに図ることができる。
しかしながら、特許文献１に記載の通信システムでは、データ記録媒体の表裏を判別することは可能であるが、データ記録媒体の回転状態を判別することはできない、という問題がある。
【０００５】
本発明は、上記に鑑みてなされたものであって、データ記録媒体の表裏及び回転状態を判別することができる通信システム、データ記録媒体、及びデータ読取装置を提供することを目的とする。
【課題を解決するための手段】
【０００６】
上述した課題を解決し、目的を達成するために、本発明に係る通信システムは、データが記録されたデータ記録媒体と、当該データを無線通信により非接触で読み取るデータ読取装置とを備えた通信システムであって、前記データ記録媒体は、前記データ読取装置に対向する第１仮想領域を当該第１仮想領域における中心位置を囲む周方向に沿って並列する複数の第１分割領域に分割した場合に、当該複数の第１分割領域のうち２つの第１分割領域にそれぞれ設けられ、通電により電波をそれぞれ送信する２つの媒体側アンテナを備え、前記２つの媒体側アンテナは、送信する電波の電波強度が互いに異なるように設定され、前記データ読取装置は、前記第１仮想領域に対向する第２仮想領域を当該第２仮想領域における中心位置を囲む周方向に沿って並列する前記第１分割領域と同一の数の複数の第２分割領域に分割した場合に、当該複数の第２分割領域の全てにそれぞれ設けられ、前記２つの媒体側アンテナのうち対向する媒体側アンテナから送信された電波の電波強度を検出する複数の検出部を備えることを特徴とする。
【０００７】
また、本発明に係る通信システムでは、上記発明において、前記２つの媒体側アンテナは、ループアンテナにてそれぞれ構成され、巻き数が互いに異なることで送信する電波の電波強度が互いに異なることを特徴とする。
【０００８】
また、本発明に係る通信システムでは、上記発明において、前記２つの媒体側アンテナは、ループアンテナにてそれぞれ構成され、開口面積が互いに異なることで送信する電波の電波強度が互いに異なることを特徴とする。
【０００９】
また、本発明に係る通信システムでは、上記発明において、前記データ記録媒体は、前記データを記録するＩＣチップを備え、前記２つの媒体側アンテナは、前記ＩＣチップに直列に接続されていることを特徴とする。
【００１０】
また、本発明に係る通信システムでは、上記発明において、前記複数の検出部は、ループアンテナで構成された検出用アンテナをそれぞれ有し、前記データ読取装置は、複数の前記検出用アンテナの開口の全てを囲むループアンテナで構成され、前記２つの媒体側アンテナから送信された前記データを受信する受信用アンテナを備えることを特徴とする。
【００１１】
本発明に係るデータ記録媒体は、記録したデータを無線通信により非接触でデータ読取装置に送信するデータ記録媒体であって、前記データ読取装置に対向する第１仮想領域を当該第１仮想領域における中心位置を囲む周方向に沿って並列する複数の第１分割領域に分割した場合に、当該複数の第１分割領域のうち２つの第１分割領域にそれぞれ設けられ、通電により電波をそれぞれ送信する２つの媒体側アンテナを備え、前記２つの媒体側アンテナは、送信する電波の電波強度が互いに異なるように設定され、前記データ読取装置は、前記第１仮想領域に対向する第２仮想領域を当該第２仮想領域における中心位置を囲む周方向に沿って並列する前記第１分割領域と同一の数の複数の第２分割領域に分割した場合に、当該複数の第２分割領域の全てにそれぞれ設けられ、前記２つの媒体側アンテナのうち対向する媒体側アンテナから送信された電波の電波強度を検出する複数の検出部を備えることを特徴とする。
【００１２】
本発明に係るデータ読取装置は、データ記録媒体に記録されたデータを無線通信により非接触で読み取るデータ読取装置であって、前記データ記録媒体は、当該データ読取装置に対向する第１仮想領域を当該第１仮想領域における中心位置を囲む周方向に沿って並列する複数の第１分割領域に分割した場合に、当該複数の第１分割領域のうち２つの第１分割領域にそれぞれ設けられ、通電により電波をそれぞれ送信する２つの媒体側アンテナを備え、前記２つの媒体側アンテナは、送信する電波の電波強度が互いに異なるように設定され、当該データ読取装置は、前記第１仮想領域に対向する第２仮想領域を当該第２仮想領域における中心位置を囲む周方向に沿って並列する前記第１分割領域と同一の数の複数の第２分割領域に分割した場合に、当該複数の第２分割領域の全てにそれぞれ設けられ、前記２つの媒体側アンテナのうち対向する媒体側アンテナから送信された電波の電波強度を検出する複数の検出部を備えることを特徴とする。
【発明の効果】
【００１３】
本発明に係る通信システム、データ記録媒体、及びデータ読取装置によれば、データ記録媒体の表裏及び回転状態を検出することができる、という効果を奏する。
【図面の簡単な説明】
【００１４】
【図１】図１は、本実施の形態１に係るカード型媒体を示す図である。
【図２】図２は、本実施の形態１に係るデータ読取装置を示す図である。
【図３】図３は、カード型媒体の表裏及び回転状態の判別方法を説明する図である。
【図４】図４は、本実施の形態２に係るカード型媒体を示す図である。
【図５】図５は、本実施の形態２に係るデータ読取装置を示す図である。
【図６】図６は、カード型媒体の表裏及び回転状態の判別方法を説明する図である。
【図７】図７は、本実施の形態３に係るカード型媒体を示す図である。
【発明を実施するための形態】
【００１５】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１６】
（実施の形態１）
〔通信システムの構成〕
図１は、本実施の形態１に係るカード型媒体２を示す図である。図２は、本実施の形態１に係るデータ読取装置３を示す図である。
通信システム１は、ＲＦＩＤタグが内蔵されたカードをゲーム機上に載置し、当該載置されたカードの表裏及び回転状態に応じて各種のゲームが展開されるゲーム機に利用されるシステムである。この通信システム１は、互いに非接触で無線通信可能に接続するカード型媒体２（図１）及びデータ読取装置３（図２）を備える。
【００１７】
〔カード型媒体の構成〕
先ず、カード型媒体２の構成について図１を参照しつつ説明する。
カード型媒体２は、本発明に係るデータ記録媒体に相当する。このカード型媒体２は、ゲーム機上に載置してゲームに利用するカードである。そして、カード型媒体２は、カード本体２１と、ＲＦＩＤタグ２２とを備える。
カード本体２１は、平面視正方形状を有する薄型の平板で構成されている。
なお、カード本体２１における板面の全領域は、本発明に係る第１仮想領域Ｖａ１に相当する。また、本実施の形態１では、第１仮想領域Ｖａ１は、当該第１仮想領域Ｖａ１における中心位置Ｃ１を基準として、当該中心位置Ｃ１を囲む周方向に沿って９０°毎に均等に分割されている。そして、当該分割した４つの領域は、中心位置Ｃ１を囲む周方向に沿って並列しており、本発明に係る第１分割領域Ｄ１１〜Ｄ１４にそれぞれ相当する。以下では、説明の便宜上、第１分割領域Ｄ１１を第１左上領域Ｄ１１と記載し、第１分割領域Ｄ１２を第１左下領域Ｄ１２と記載し、第１分割領域Ｄ１３を第１右下領域Ｄ１３と記載し、第１分割領域Ｄ１４を第１右上領域Ｄ１４と記載する。
【００１８】
ＲＦＩＤタグ２２は、カード本体２１に内蔵されている。このＲＦＩＤタグ２２は、アンテナ２２１と、ＩＣチップ２２２と、共振用コンデンサ２２３とを備える。
アンテナ２２１は、ＩＣチップ２２２にそれぞれ導通する一端から他端にかけて、全体略正方形状を成すように第１右上領域Ｄ１４、第１左上領域Ｄ１１、第１左下領域Ｄ１２、及び第１右下領域Ｄ１３を辿って延在する枠状のループアンテナで構成されている。そして、アンテナ２２１は、通電により電波（ＲＦＩＤタグ２２の識別情報）を送信する。
ここで、アンテナ２２１は、第１左上領域Ｄ１１において正方形状を成すように当該第１左上領域Ｄ１１の外縁に倣ってＮ回（本実施の形態１では３回）巻かれ、第１左下領域Ｄ１２において正方形状を成すように当該第１左下領域Ｄ１２の外縁に倣ってＮとは異なるＭ回（本実施の形態１では２回）巻かれている。すなわち、アンテナ２２１において、第１左上領域Ｄ１１と第１左下領域Ｄ１２とでは、通電により送信する電波の電波強度は異なる。具体的に、アンテナ２２１から送信される電波の電波強度は、巻き数の多い第１左上領域Ｄ１１が最も高く、第１左下領域Ｄ１２が次に高く、その他の第１右下領域Ｄ１３及び第１右上領域Ｄ１４が最も低い。
なお、アンテナ２２１において、第１左上領域Ｄ１１及び第１左下領域Ｄ１２の各部位は、本発明に係る媒体側アンテナ２２４，２２５にそれぞれ相当する。すなわち、本実施の形態１では、２つの媒体側アンテナ２２４，２２５は、ＩＣチップ２２２に直列に接続されている。なお、以下では、説明の便宜上、媒体側アンテナ２２４を第１媒体側アンテナ２２４と記載し、媒体側アンテナ２２５を第２媒体側アンテナ２２５と記載する。
【００１９】
ＩＣチップ２２２は、アンテナ２２１及び共振用コンデンサ２２３に導通するように設けられている。このＩＣチップ２２２には、ＲＦＩＤタグ２２固有の識別情報が予め記録されている。当該ＲＦＩＤタグ２２の識別情報は、本発明に係るデータに相当する。そして、ＩＣチップ２２２は、アンテナ２２１を介してデータ読取装置３から受信した電波を動力源として動作し、アンテナ２２１を介してＲＦＩＤタグ２２の識別情報をデータ読取装置３に送信する。
【００２０】
〔データ読取装置の構成〕
次に、データ読取装置３の構成について図２を参照しつつ説明する。
データ読取装置３は、ゲーム機に内蔵され、当該ゲーム機に載置されたカード型媒体２（ＲＦＩＤタグ２２）との間で無線通信を行い、ＲＦＩＤタグ２２の識別情報を読み取る。このデータ読取装置３は、４つの検出部４（第１〜第４検出部４１〜４４）と、受信用アンテナ５と、制御部６とを備える。
なお、図２において、一点鎖線で示した最も大きい正方形状の領域は、ゲーム機におけるカード型媒体２が載置される載置領域（カード型媒体２と略同一の大きさの領域）であり、本発明に係る第２仮想領域Ｖａ２に相当する。また、本実施の形態１では、第２仮想領域Ｖａ２は、当該第２仮想領域Ｖａ２における中心位置Ｃ２を基準として、当該中心位置Ｃ２を囲む周方向に沿って９０°毎に均等に分割されている。そして、当該分割した４つの領域は、中心位置Ｃ２を囲む周方向に沿って並列しており、本発明に係る第２分割領域Ｄ２１〜Ｄ２４にそれぞれ相当する。以下では、説明の便宜上、第２分割領域Ｄ２１を第２左上領域Ｄ２１と記載し、第２分割領域Ｄ２２を第２左下領域Ｄ２２と記載し、第２分割領域Ｄ２３を第２右下領域Ｄ２３と記載し、第２分割領域Ｄ２４を第２右上領域Ｄ２４と記載する。
【００２１】
第１検出部４１は、第１検出用アンテナ４１１と、第１強度検出部４１２とを備える。
第１検出用アンテナ４１１は、本発明に係る検出用アンテナに相当する。この第１検出用アンテナ４１１は、第２左上領域Ｄ２１において、正方形状を成すように当該第２左上領域Ｄ２１の外縁に倣って延在する枠状のループアンテナで構成されている。
第１強度検出部４１２は、アンテナ２２１からの電波に応じて第１検出用アンテナ４１１に作用する電圧を検出することで、当該電波の電波強度を検出する。
【００２２】
第２検出部４２は、第１検出用アンテナ４１１と同一形状（巻き数及び開口面積等が同一）を有する第２検出用アンテナ４２１と、第２強度検出部４２２とを備える。
第２検出用アンテナ４２１は、本発明に係る検出用アンテナに相当し、第２左下領域Ｄ２２に設けられている。
第２強度検出部４２２は、アンテナ２２１からの電波に応じて第２検出用アンテナ４２１に作用する電圧を検出することで、当該電波の電波強度を検出する。
【００２３】
第３検出部４３は、第１検出用アンテナ４１１と同一形状（巻き数及び開口面積等が同一）を有する第３検出用アンテナ４３１と、第３強度検出部４３２とを備える。
第３検出用アンテナ４３１は、本発明に係る検出用アンテナに相当し、第２右下領域Ｄ２３に設けられている。
第３強度検出部４３２は、アンテナ２２１からの電波に応じて第３検出用アンテナ４３１に作用する電圧を検出することで、当該電波の電波強度を検出する。
【００２４】
第４検出部４４は、第１検出用アンテナ４１１と同一形状（巻き数及び開口面積等が同一）を有する第４検出用アンテナ４４１と、第４強度検出部４４２とを備える。
第４検出用アンテナ４４１は、本発明に係る検出用アンテナに相当し、第２右上領域Ｄ２４に設けられている。
第４強度検出部４４２は、アンテナ２２１からの電波に応じて第４検出用アンテナ４４１に作用する電圧を検出することで、当該電波の電波強度を検出する。
【００２５】
以上説明した第１〜第４強度検出部４１２，４２２，４３２，４４２にてそれぞれ検出された電波強度は、ゲーム機に設けられた制御コントローラ１００に出力される。そして、制御コントローラ１００は、第１〜第４強度検出部４１２，４２２，４３２，４４２にてそれぞれ検出された電波強度に基づいて、ゲーム機に載置されたカード型媒体２の表裏及び回転状態を判別する。なお、カード型媒体２の表裏及び回転状態の判別方法については後述する。
【００２６】
受信用アンテナ５は、制御部６にそれぞれ導通する一端から他端にかけて、正方形状を成すように第２右下領域Ｄ２３、第２右上領域Ｄ２４、第２左上領域Ｄ２１、及び第２左下領域Ｄ２２を辿って延在する枠状のループアンテナで構成されている。また、受信用アンテナ５は、第１〜第４検出用アンテナ４１１，４２１，４３１，４４１の開口の全てを囲む。そして、受信用アンテナ５は、ＲＦＩＤタグ２２との間で電磁誘導作用を用いた無線通信により非接触で当該ＲＦＩＤタグ２２の識別情報を読み取るために用いられる。
制御部６は、受信用アンテナ５に通電し、当該受信用アンテナ５からＩＣチップ２２２の動力源となる電波を送信するとともに、ＲＦＩＤタグ２２の識別情報の送信指令となる電波を送信する。また、制御部６は、受信用アンテナ５を介してＲＦＩＤタグ２２から送信された識別情報を受信する。当該受信した識別情報は、制御コントローラ１００に出力される。そして、制御コントローラ１００は、ゲーム機に載置されたカード型媒体２の種類を判別する。
【００２７】
〔カード型媒体の表裏及び回転状態の判別方法〕
次に、カード型媒体２の表裏及び回転状態の判別方法について説明する。
図３は、カード型媒体２の表裏及び回転状態の判別方法を説明する図である。具体的に、図３では、図１に示したカード型媒体２の状態を回転角０°の表向きの姿勢（ゲーム機に載置された姿勢）としている。また、当該回転角０°の表向きの姿勢から、第１左上領域Ｄ１１及び第１右上領域Ｄ１４と第１左下領域Ｄ１２及び第１右下領域Ｄ１３との境界線ＢＯ（図１）を基準としてカード型媒体２を１８０°反転させた姿勢を回転角０°の裏向きの姿勢としている。さらに、当該回転角０°の表向きの姿勢から中心位置Ｃ１を中心として反時計回りに９０°毎にカード型媒体２を回転させた各姿勢をそれぞれ回転角９０°、１８０°、２７０°の表向きの各姿勢としている。また、当該回転角９０°、１８０°、２７０°の表向きの各姿勢から、境界線ＢＯを基準としてカード型媒体２を１８０°反転させた各姿勢をそれぞれ回転角９０°、１８０°、２７０°の裏向きの各姿勢としている。なお、図３では、説明の便宜上、第１左上領域Ｄ１１に「１」の文字を付し、第１左下領域Ｄ１２に「２」の文字を付し、第１右下領域Ｄ１３に「３」の文字を付し、第１右上領域Ｄ１４に「４」の文字を付している。
【００２８】
〔回転角０°の表向きの姿勢について〕
「回転角０°」の「表向き」の姿勢でカード型媒体２をゲーム機に載置した場合（第２仮想領域Ｖａ２に対向させ、かつ中心位置Ｃ１，Ｃ２同士を略合致させた場合）には、最も高い電波強度の電波を送信する第１媒体側アンテナ２２４は、第１検出用アンテナ４１１に対向する。また、２番目に高い電波強度の電波を送信する第２媒体側アンテナ２２５は、第２検出用アンテナ４２１に対向する。このため、第１〜第４強度検出部４１２，４２２，４３２，４４２にてそれぞれ検出される電波強度Ｖ１〜Ｖ４は、Ｖ１＞Ｖ２＞Ｖ３＝Ｖ４の関係となる。
【００２９】
〔回転角９０°の表向きの姿勢について〕
「回転角９０°」の「表向き」の姿勢でカード型媒体２をゲーム機に載置した場合（第２仮想領域Ｖａ２に対向させ、かつ中心位置Ｃ１，Ｃ２同士を略合致させた場合）には、第１媒体側アンテナ２２４は、第２検出用アンテナ４２１に対向する。また、第２媒体側アンテナ２２５は、第３検出用アンテナ４３１に対向する。このため、第１〜第４強度検出部４１２，４２２，４３２，４４２にてそれぞれ検出される電波強度Ｖ１〜Ｖ４は、Ｖ２＞Ｖ３＞Ｖ１＝Ｖ４の関係となる。
【００３０】
〔回転角１８０°の表向きの姿勢について〕
「回転角１８０°」の「表向き」の姿勢でカード型媒体２をゲーム機に載置した場合（第２仮想領域Ｖａ２に対向させ、かつ中心位置Ｃ１，Ｃ２同士を略合致させた場合）には、第１媒体側アンテナ２２４は、第３検出用アンテナ４３１に対向する。また、第２媒体側アンテナ２２５は、第４検出用アンテナ４４１に対向する。このため、第１〜第４強度検出部４１２，４２２，４３２，４４２にてそれぞれ検出される電波強度Ｖ１〜Ｖ４は、Ｖ３＞Ｖ４＞Ｖ１＝Ｖ２の関係となる。
【００３１】
〔回転角２７０°の表向きの姿勢について〕
「回転角２７０°」の「表向き」の姿勢でカード型媒体２をゲーム機に載置した場合（第２仮想領域Ｖａ２に対向させ、かつ中心位置Ｃ１，Ｃ２同士を略合致させた場合）には、第１媒体側アンテナ２２４は、第４検出用アンテナ４４１に対向する。また、第２媒体側アンテナ２２５は、第１検出用アンテナ４１１に対向する。このため、第１〜第４強度検出部４１２，４２２，４３２，４４２にてそれぞれ検出される電波強度Ｖ１〜Ｖ４は、Ｖ４＞Ｖ１＞Ｖ２＝Ｖ３の関係となる。
【００３２】
〔回転角０°の裏向きの姿勢について〕
「回転角０°」の「裏向き」の姿勢でカード型媒体２をゲーム機に載置した場合（第２仮想領域Ｖａ２に対向させ、かつ中心位置Ｃ１，Ｃ２同士を略合致させた場合）には、第１媒体側アンテナ２２４は、第２検出用アンテナ４２１に対向する。また、第２媒体側アンテナ２２５は、第１検出用アンテナ４１１に対向する。このため、第１〜第４強度検出部４１２，４２２，４３２，４４２にてそれぞれ検出される電波強度Ｖ１〜Ｖ４は、Ｖ２＞Ｖ１＞Ｖ３＝Ｖ４の関係となる。
【００３３】
〔回転角９０°の裏向きの姿勢について〕
「回転角９０°」の「裏向き」の姿勢でカード型媒体２をゲーム機に載置した場合（第２仮想領域Ｖａ２に対向させ、かつ中心位置Ｃ１，Ｃ２同士を略合致させた場合）には、第１媒体側アンテナ２２４は、第３検出用アンテナ４３１に対向する。また、第２媒体側アンテナ２２５は、第２検出用アンテナ４２１に対向する。このため、第１〜第４強度検出部４１２，４２２，４３２，４４２にてそれぞれ検出される電波強度Ｖ１〜Ｖ４は、Ｖ３＞Ｖ２＞Ｖ１＝Ｖ４の関係となる。
【００３４】
〔回転角１８０°の裏向きの姿勢について〕
「回転角１８０°」の「裏向き」の姿勢でカード媒体２をゲーム機に載置した場合（第２仮想領域Ｖａ２に対向させ、かつ中心位置Ｃ１，Ｃ２同士を略合致させた場合）には、第１媒体側アンテナ２２４は、第４検出用アンテナ４４１に対向する。また、第２媒体側アンテナ２２５は、第３検出用アンテナ４３１に対向する。このため、第１〜第４強度検出部４１２，４２２，４３２，４４２にてそれぞれ検出される電波強度Ｖ１〜Ｖ４は、Ｖ４＞Ｖ３＞Ｖ１＝Ｖ２の関係となる。
【００３５】
〔回転角２７０°の裏向きの姿勢について〕
「回転角２７０°」の「裏向き」の姿勢でカード媒体２をゲーム機に載置した場合（第２仮想領域Ｖａ２に対向させ、かつ中心位置Ｃ１，Ｃ２同士を略合致させた場合）には、第１媒体側アンテナ２２４は、第１検出用アンテナ４１１に対向する。また、第２媒体側アンテナ２２５は、第４検出用アンテナ４４１に対向する。このため、第１〜第４強度検出部４１２，４２２，４３２，４４２にてそれぞれ検出される電波強度Ｖ１〜Ｖ４は、Ｖ１＞Ｖ４＞Ｖ２＝Ｖ３の関係となる。
【００３６】
〔まとめ〕
以上説明したように、回転角０°、９０°、１８０°、２７０°の表向き及び裏向きの８つの姿勢において、第１〜第４強度検出部４１２，４２２，４３２，４４２にてそれぞれ検出される電波強度Ｖ１〜Ｖ４の関係は、全て異なる関係となる。このため、制御コントローラ１００は、例えば内部メモリに記録されたルックアップテーブル（ＬＵＴ）等を参照することで、当該関係から当該８つの姿勢を判別することができる。
【００３７】
以上説明した本実施の形態１によれば、以下の効果を奏する。
本実施の形態１に係るカード型媒体２では、４つの第１分割領域Ｄ１１〜Ｄ１４のうち２つの第１分割領域Ｄ１１，Ｄ１２にそれぞれ第１，第２媒体側アンテナ２２４，２２５が設けられている。また、第１，第２媒体側アンテナ２２４，２２５は、送信する電波の電波強度が互いに異なるように設定されている。一方、本実施の形態１に係るデータ読取装置３では、４つの第２分割領域Ｄ２１〜Ｄ２２の全てにそれぞれ４つの第１〜第４検出部４１〜４４が設けられている。
このため、上記〔カード型媒体の表裏及び回転状態の判別方法〕で説明したように、回転角０°、９０°、１８０°、２７０°の表向き及び裏向きの８つの姿勢を判別することができる。
【００３８】
また、第１，第２媒体側アンテナ２２４，２２５は、ループアンテナにてそれぞれ構成され、巻き数が互いに異なることで送信する電波の電波強度が互いに異なる。
このため、第１，第２媒体側アンテナ２２４，２２５に同一の電流値で通電すれば、第１，第２媒体側アンテナ２２４，２２５から異なる電波強度の電波を送信することができる。したがって、構造の簡素化を図ることができる。
【００３９】
また、カード型媒体２は、データを記録するＩＣチップ２２２を備える。そして、第１，第２媒体側アンテナ２２４，２２５は、ＩＣチップ２２２に直列に接続されている。
このため、第１，第２媒体側アンテナ２２４，２２５をＩＣチップ２２２に対して並列に接続した構成と比較して、１本の回路パターンで第１，第２媒体側アンテナ２２４，２２５を構成することができ、構造の簡素化を図ることができる。
【００４０】
また、第１〜第４検出部４１〜４４は、ループアンテナで構成された第１〜第４検出用アンテナ４１１，４２１，４３１，４４１をそれぞれ有する。そして、データ読取装置３は、第１〜第４検出用アンテナ４１１，４２１，４３１，４４１の開口の全てを囲むループアンテナで構成され、第１，第２媒体側アンテナ２２４，２２５から送信されたＲＦＩＤ２２の識別情報を受信する受信用アンテナ５を備える。
このため、受信用アンテナ５の開口面積を比較的に大きくし、アンテナ２２１からＲＦＩＤ２２の識別情報をより確実に受信することができる。
【００４１】
（実施の形態２）
次に、本実施の形態２について説明する。
以下の説明では、実施の形態１と同様の構成には同一符号を付し、その詳細な説明は省略または簡略化する。
図４は、本実施の形態２に係るカード型媒体２Ａを示す図である。図５は、本実施の形態２に係るデータ読取装置３Ａを示す図である。
上述した実施の形態１に係る通信システム１は、回転角０°、９０°、１８０°、２７０°の表向き及び裏向きの８つの姿勢でカード型媒体２をゲーム機に載置する構成に適用したシステムである。
これに対して本実施の形態２に係る通信システム１Ａは、回転角０°、６０°、１２０°、１８０°、２４０°、３００°の表向き及び裏向きの１２個の姿勢でカード型媒体２Ａをゲーム機に載置する構成に適用したシステムである。
以下、本実施の形態２に係る通信システム１Ａを構成するカード型媒体２Ａ及びデータ読取装置３Ａの構成について説明する。
【００４２】
〔カード型媒体の構成〕
先ず、カード型媒体２Ａの構成について図４を参照しつつ説明する。
カード型媒体２Ａは、本発明に係るデータ記録媒体に相当する。このカード型媒体２Ａは、上述した実施の形態１で説明したカード本体２１とは形状の異なるカード本体２１Ａと、上述した実施の形態１で説明したアンテナ２２１とは形状の異なるアンテナ２２１Ａを採用したＲＦＩＤタグ２２Ａとを備える。
カード本体２１Ａは、平面視正六角形状を有する薄型の平板で構成されている。
なお、カード本体２１Ａにおける板面の全領域は、本発明に係る第１仮想領域Ｖａ１Ａに相当する。また、本実施の形態２では、第１仮想領域Ｖａ１Ａは、当該第１仮想領域Ｖａ１Ａにおける中心位置Ｃ１Ａを基準として、当該中心位置Ｃ１Ａを囲む周方向に沿って６０°毎に均等に分割されている。そして、当該分割した６つの領域は、中心位置Ｃ１Ａを囲む周方向に沿って並列しており、本発明に係る第１分割領域Ｄ１１Ａ〜Ｄ１６Ａにそれぞれ相当する。以下では、説明の便宜上、第１分割領域Ｄ１１Ａを第１左上領域Ｄ１１Ａと記載し、第１分割領域Ｄ１２Ａを第１左中領域Ｄ１２Ａと記載し、第１分割領域Ｄ１３Ａを第１左下領域Ｄ１３Ａと記載し、第１分割領域Ｄ１４Ａを第１右下領域Ｄ１４Ａと記載し、第１分割領域Ｄ１５Ａを第１右中領域Ｄ１５Ａと記載し、第１分割領域Ｄ１６Ａを第１右上領域Ｄ１６Ａと記載する。
【００４３】
アンテナ２２１Ａは、ＩＣチップ２２２にそれぞれ導通する一端から他端にかけて、全体略正六角形状を成すように第１右中領域Ｄ１５Ａ、第１右上領域Ｄ１６Ａ、第１左上領域Ｄ１１Ａ、第１左中領域Ｄ１２Ａ、第１左下領域Ｄ１３Ａ、及び第１右下領域Ｄ１４Ａを辿って延在する枠状のループアンテナで構成されている。
ここで、アンテナ２２１Ａは、第１左上領域Ｄ１１Ａにおいて三角形状を成すように当該第１左上領域Ｄ１１Ａの外縁に倣ってＮ回（本実施の形態２では３回）巻かれ、第１右中領域Ｄ１２Ａにおいて三角形状を成すように当該第１右中領域Ｄ１２Ａの外縁に倣ってＮとは異なるＭ回（本実施の形態２では２回）巻かれている。すなわち、アンテナ２２１Ａにおいて、第１左上領域Ｄ１１Ａと第１左中領域Ｄ１２Ａとでは、通電により送信する電波の電波強度は異なる。具体的に、アンテナ２２１Ａから送信される電波の電波強度は、巻き数の多い第１左上領域Ｄ１１Ａが最も高く、第１左中領域Ｄ１２Ａが次に高く、その他の第１左下領域Ｄ１３Ａ、第１右下領域Ｄ１４Ａ、第１右中領域Ｄ１５Ａ、及び第１右上領域Ｄ１６Ａが最も低い。
なお、アンテナ２２１Ａにおいて、第１左上領域Ｄ１１Ａの部位、及び第１左中領域Ｄ１２Ａの部位は、本発明に係る媒体側アンテナ２２４Ａ，２２５Ａにそれぞれ相当する。すなわち、本実施の形態２では、上述した実施の形態１と同様に、２つの媒体側アンテナ２２４Ａ，２２５Ａは、ＩＣチップ２２２に直列に接続されている。なお、以下では、説明の便宜上、媒体側アンテナ２２４Ａを第１媒体側アンテナ２２４Ａと記載し、媒体側アンテナ２２５Ａを第２媒体側アンテナ２２５Ａと記載する。
【００４４】
〔データ読取装置の構成〕
次に、データ読取装置３Ａの構成について図５を参照しつつ説明する。
データ読取装置３Ａでは、上述した実施の形態１で説明したデータ読取装置３に対して、４つの検出部４の代わりに６つの検出部４Ａ（第１〜第６検出部４１Ａ〜４６Ａ）を採用し、受信用アンテナ５とは形状の異なる受信用アンテナ５Ａを採用している。
なお、図５において、一点鎖線で示した正六角形状の領域は、ゲーム機におけるカード型媒体２Ａが載置される載置領域（カード型媒体２Ａと略同一の大きさの領域）であり、本発明に係る第２仮想領域Ｖａ２Ａに相当する。また、本実施の形態２では、第２仮想領域Ｖａ２Ａは、当該第２仮想領域Ｖａ２Ａにおける中心位置Ｃ２Ａを基準として、当該中心位置Ｃ２Ａを囲む周方向に沿って６０°毎に均等に分割されている。そして、当該分割した６つの領域は、中心位置Ｃ２Ａを囲む周方向に沿って並列しており、本発明に係る第２分割領域Ｄ２１Ａ〜Ｄ２６Ａにそれぞれ相当する。以下では、説明の便宜上、第２分割領域Ｄ２１Ａを第２左上領域Ｄ２１Ａと記載し、第２分割領域Ｄ２２Ａを第２左中領域Ｄ２２Ａと記載し、第２分割領域Ｄ２３Ａを第２左下領域Ｄ２３Ａと記載し、第２分割領域Ｄ２４Ａを第２右下領域Ｄ２４Ａと記載し、第２分割領域Ｄ２５Ａを第２右中領域Ｄ２５Ａと記載し、第２分割領域Ｄ２６Ａを第２右上領域Ｄ２６Ａと記載する。
【００４５】
第１検出部４１Ａは、上述した実施の形態１で説明した第１検出用アンテナ４１１とは形状の異なる第１検出用アンテナ４１１Ａと、第１強度検出部４１２Ａとを備える。
第１検出用アンテナ４１１Ａは、本発明に係る検出用アンテナに相当し、第２左上領域Ｄ２１Ａにおいて、三角形状を成すように当該第２左上領域Ｄ２１Ａの外縁に倣って延在する枠状に形成されている。
第１強度検出部４１２Ａは、アンテナ２２１Ａからの電波に応じて第１検出用アンテナ４１１Ａに作用する電圧を検出することで、当該電波の電波強度を検出する。
【００４６】
第２検出部４２Ａは、第１検出用アンテナ４１１Ａと同一形状（巻き数及び開口面積等が同一）を有する第２検出用アンテナ４２１Ａと、第２強度検出部４２２Ａとを備える。
第２検出用アンテナ４２１Ａは、本発明に係る検出用アンテナに相当し、第２左中領域Ｄ２２Ａに設けられている。
第２強度検出部４２２Ａは、アンテナ２２１Ａからの電波に応じて第２検出用アンテナ４２１Ａに作用する電圧を検出することで、当該電波の電波強度を検出する。
【００４７】
第３検出部４３Ａは、第１検出用アンテナ４１１Ａと同一形状（巻き数及び開口面積等が同一）を有する第３検出用アンテナ４３１Ａと、第３強度検出部４３２Ａとを備える。
第３検出用アンテナ４３１Ａは、本発明に係る検出用アンテナに相当し、第２左下領域Ｄ２３Ａに設けられている。
第３強度検出部４３２Ａは、アンテナ２２１Ａからの電波に応じて第３検出用アンテナ４３１Ａに作用する電圧を検出することで、当該電波の電波強度を検出する。
【００４８】
第４検出部４４Ａは、第１検出用アンテナ４１１Ａと同一形状（巻き数及び開口面積等が同一）を有する第４検出用アンテナ４４１Ａと、第４強度検出部４４２Ａとを備える。
第４検出用アンテナ４４１Ａは、本発明に係る検出用アンテナに相当し、第２右下領域Ｄ２４Ａに設けられている。
第４強度検出部４４２Ａは、アンテナ２２１Ａからの電波に応じて第４検出用アンテナ４４１Ａに作用する電圧を検出することで、当該電波の電波強度を検出する。
【００４９】
第５検出部４５Ａは、第１検出用アンテナ４１１Ａと同一形状（巻き数及び開口面積等が同一）を有する第５検出用アンテナ４５１Ａと、第５強度検出部４５２Ａとを備える。
第５検出用アンテナ４５１Ａは、本発明に係る検出用アンテナに相当し、第２右中領域Ｄ２５Ａに設けられている。
第５強度検出部４５２Ａは、アンテナ２２１Ａからの電波に応じて第５検出用アンテナ４５１Ａに作用する電圧を検出することで、当該電波の電波強度を検出する。
【００５０】
第６検出部４６Ａは、第１検出用アンテナ４１１Ａと同一形状（巻き数及び開口面積等が同一）を有する第６検出用アンテナ４６１Ａと、第６強度検出部４６２Ａとを備える。
第６検出用アンテナ４６１Ａは、本発明に係る検出用アンテナに相当し、第２右上領域Ｄ２６Ａに設けられている。
第６強度検出部４６２Ａは、アンテナ２２１Ａからの電波に応じて第６検出用アンテナ４６１Ａに作用する電圧を検出することで、当該電波の電波強度を検出する。
【００５１】
以上説明した第１〜第６強度検出部４１２Ａ，４２２Ａ，４３２Ａ，４４２Ａ，４５２Ａ，４６２Ａにてそれぞれ検出された電波強度は、制御コントローラ１００に出力される。そして、制御コントローラ１００は、第１〜第６強度検出部４１２Ａ，４２２Ａ，４３２Ａ，４４２Ａ，４５２Ａ，４６２Ａにてそれぞれ検出された電波強度に基づいて、ゲーム機に載置されたカード型媒体２Ａの表裏及び回転状態を判別する。なお、カード型媒体２Ａの表裏及び回転状態の判別方法については後述する。
【００５２】
受信用アンテナ５Ａは、制御部６にそれぞれ導通する一端から他端にかけて、正六角形状を成すように第２右中領域Ｄ２５Ａ、第２右上領域Ｄ２６Ａ、第２左上領域Ｄ２１Ａ、第２左中領域Ｄ２２Ａ、第２左下領域Ｄ２３Ａ、第２右下領域Ｄ２４Ａ、及び第２右中領域Ｄ２５Ａを辿って延在する枠状に形成されている。また、受信用アンテナ５Ａは、第１〜第６検出用アンテナ４１１Ａ，４２１Ａ，４３１Ａ，４４１Ａ，４５１Ａ，４６１Ａの開口の全てを囲む。
【００５３】
〔カード型媒体の表裏及び回転状態の判別方法〕
次に、カード型媒体２Ａの表裏及び回転状態の判別方法について説明する。
図６は、カード型媒体２Ａの表裏及び回転状態の判別方法を説明する図である。具体的に、図６では、図４に示したカード型媒体２Ａの状態を回転角０°の表向きの姿勢（ゲーム機に載置された姿勢）としている。また、当該回転角０°の表向きの姿勢から、第１左上領域Ｄ１１Ａ、第１左中領域Ｄ１２Ａ、及び第１左下領域Ｄ１３Ａと第１右下領域Ｄ１４Ａ、第１右中領域Ｄ１５Ａ、及び第１右上領域Ｄ１６Ａとの境界線ＢＯＡ（図４）を基準としてカード型媒体２Ａを１８０°反転させた姿勢を回転角０°の裏向きの姿勢としている。さらに、当該回転角０°の表向きの姿勢から中心位置Ｃ１Ａを中心として反時計回りに６０°毎にカード型媒体２Ａを回転させた各姿勢をそれぞれ回転角６０°、１２０°、１８０°、２４０°、３００°の表向きの各姿勢としている。また、当該回転角６０°、１２０°、１８０°、２４０°、３００°の表向きの各姿勢から、境界線ＢＯＡを基準としてカード型媒体２を１８０°反転させた各姿勢をそれぞれ回転角６０°、１２０°、１８０°、２４０°、３００°の裏向きの各姿勢としている。なお、図６では、説明の便宜上、第１左上領域Ｄ１１Ａに「１」の文字を付し、第１左中領域Ｄ１２Ａに「２」の文字を付し、第１左下領域Ｄ１３Ａに「３」の文字を付し、第１右下領域Ｄ１４Ａに「４」の文字を付し、第１右中領域Ｄ１５Ａに「５」の文字を付し、第１右上領域Ｄ１６Ａに「６」の文字を付している。
【００５４】
〔回転角０°の表向きの姿勢について〕
「回転角０°」の「表向き」の姿勢でカード型媒体２Ａをゲーム機に載置した場合（第２仮想領域Ｖａ２Ａに対向させ、かつ中心位置Ｃ１Ａ，Ｃ２Ａ同士を略合致させた場合）には、最も高い電波強度の電波を送信する第１媒体側アンテナ２２４Ａは、第１検出用アンテナ４１１Ａに対向する。また、２番目に高い電波強度の電波を送信する第２媒体側アンテナ２２５Ａは、第２検出用アンテナ４２１Ａに対向する。このため、第１〜第６強度検出部４１２Ａ，４２２Ａ，４３２Ａ，４４２Ａ，４５２Ａ，４６２Ａにてそれぞれ検出される電波強度Ｖ１〜Ｖ６は、Ｖ１＞Ｖ２＞Ｖ３＝Ｖ４＝Ｖ５＝Ｖ６の関係となる。
【００５５】
〔回転角６０°の表向きの姿勢について〕
「回転角６０°」の「表向き」の姿勢でカード型媒体２Ａをゲーム機に載置した場合（第２仮想領域Ｖａ２Ａに対向させ、かつ中心位置Ｃ１Ａ，Ｃ２Ａ同士を略合致させた場合）には、第１媒体側アンテナ２２４Ａは、第２検出用アンテナ４２１Ａに対向する。また、第２媒体側アンテナ２２５Ａは、第３検出用アンテナ４３１Ａに対向する。このため、第１〜第６強度検出部４１２Ａ，４２２Ａ，４３２Ａ，４４２Ａ，４５２Ａ，４６２Ａにてそれぞれ検出される電波強度Ｖ１〜Ｖ６は、Ｖ２＞Ｖ３＞Ｖ１＝Ｖ４＝Ｖ５＝Ｖ６の関係となる。
【００５６】
〔回転角１２０°の表向きの姿勢について〕
「回転角１２０°」の「表向き」の姿勢でカード型媒体２Ａをゲーム機に載置した場合（第２仮想領域Ｖａ２Ａに対向させ、かつ中心位置Ｃ１Ａ，Ｃ２Ａ同士を略合致させた場合）には、第１媒体側アンテナ２２４Ａは、第３検出用アンテナ４３１Ａに対向する。また、第２媒体側アンテナ２２５Ａは、第４検出用アンテナ４４１Ａに対向する。このため、第１〜第６強度検出部４１２Ａ，４２２Ａ，４３２Ａ，４４２Ａ，４５２Ａ，４６２Ａにてそれぞれ検出される電波強度Ｖ１〜Ｖ６は、Ｖ３＞Ｖ４＞Ｖ１＝Ｖ２＝Ｖ５＝Ｖ６の関係となる。
【００５７】
〔回転角１８０°の表向きの姿勢について〕
「回転角１８０°」の「表向き」の姿勢でカード型媒体２Ａをゲーム機に載置した場合（第２仮想領域Ｖａ２Ａに対向させ、かつ中心位置Ｃ１Ａ，Ｃ２Ａ同士を略合致させた場合）には、第１媒体側アンテナ２２４Ａは、第４検出用アンテナ４４１Ａに対向する。また、第２媒体側アンテナ２２５Ａは、第５検出用アンテナ４５１Ａに対向する。このため、第１〜第６強度検出部４１２Ａ，４２２Ａ，４３２Ａ，４４２Ａ，４５２Ａ，４６２Ａにてそれぞれ検出される電波強度Ｖ１〜Ｖ６は、Ｖ４＞Ｖ５＞Ｖ１＝Ｖ２＝Ｖ３＝Ｖ６の関係となる。
【００５８】
〔回転角２４０°の表向きの姿勢について〕
「回転角２４０°」の「表向き」の姿勢でカード型媒体２Ａをゲーム機に載置した場合（第２仮想領域Ｖａ２Ａに対向させ、かつ中心位置Ｃ１Ａ，Ｃ２Ａ同士を略合致させた場合）には、第１媒体側アンテナ２２４Ａは、第５検出用アンテナ４５１Ａに対向する。また、第２媒体側アンテナ２２５Ａは、第６検出用アンテナ４６１Ａに対向する。このため、第１〜第６強度検出部４１２Ａ，４２２Ａ，４３２Ａ，４４２Ａ，４５２Ａ，４６２Ａにてそれぞれ検出される電波強度Ｖ１〜Ｖ６は、Ｖ５＞Ｖ６＞Ｖ１＝Ｖ２＝Ｖ３＝Ｖ４の関係となる。
【００５９】
〔回転角３００°の表向きの姿勢について〕
「回転角３００°」の「表向き」の姿勢でカード型媒体２Ａをゲーム機に載置した場合（第２仮想領域Ｖａ２Ａに対向させ、かつ中心位置Ｃ１Ａ，Ｃ２Ａ同士を略合致させた場合）には、第１媒体側アンテナ２２４Ａは、第６検出用アンテナ４６１Ａに対向する。また、第２媒体側アンテナ２２５Ａは、第１検出用アンテナ４１１Ａに対向する。このため、第１〜第６強度検出部４１２Ａ，４２２Ａ，４３２Ａ，４４２Ａ，４５２Ａ，４６２Ａにてそれぞれ検出される電波強度Ｖ１〜Ｖ６は、Ｖ６＞Ｖ１＞Ｖ２＝Ｖ３＝Ｖ４＝Ｖ５の関係となる。
【００６０】
〔回転角０°の裏向きの姿勢について〕
「回転角０°」の「裏向き」の姿勢でカード型媒体２Ａをゲーム機に載置した場合（第２仮想領域Ｖａ２Ａに対向させ、かつ中心位置Ｃ１Ａ，Ｃ２Ａ同士を略合致させた場合）には、第１媒体側アンテナ２２４Ａは、第６検出用アンテナ４６１Ａに対向する。また、第２媒体側アンテナ２２５Ａは、第５検出用アンテナ４５１Ａに対向する。このため、第１〜第６強度検出部４１２Ａ，４２２Ａ，４３２Ａ，４４２Ａ，４５２Ａ，４６２Ａにてそれぞれ検出される電波強度Ｖ１〜Ｖ６は、Ｖ６＞Ｖ５＞Ｖ１＝Ｖ２＝Ｖ３＝Ｖ４の関係となる。
【００６１】
〔回転角６０°の裏向きの姿勢について〕
「回転角６０°」の「裏向き」の姿勢でカード型媒体２Ａをゲーム機に載置した場合（第２仮想領域Ｖａ２Ａに対向させ、かつ中心位置Ｃ１Ａ，Ｃ２Ａ同士を略合致させた場合）には、第１媒体側アンテナ２２４Ａは、第１検出用アンテナ４１１Ａに対向する。また、第２媒体側アンテナ２２５Ａは、第６検出用アンテナ４６１Ａに対向する。このため、第１〜第６強度検出部４１２Ａ，４２２Ａ，４３２Ａ，４４２Ａ，４５２Ａ，４６２Ａにてそれぞれ検出される電波強度Ｖ１〜Ｖ６は、Ｖ１＞Ｖ６＞Ｖ２＝Ｖ３＝Ｖ４＝Ｖ５の関係となる。
【００６２】
〔回転角１２０°の裏向きの姿勢について〕
「回転角１２０°」の「裏向き」の姿勢でカード型媒体２Ａをゲーム機に載置した場合（第２仮想領域Ｖａ２Ａに対向させ、かつ中心位置Ｃ１Ａ，Ｃ２Ａ同士を略合致させた場合）には、第１媒体側アンテナ２２４Ａは、第２検出用アンテナ４２１Ａに対向する。また、第２媒体側アンテナ２２５Ａは、第１検出用アンテナ４１１Ａに対向する。このため、第１〜第６強度検出部４１２Ａ，４２２Ａ，４３２Ａ，４４２Ａ，４５２Ａ，４６２Ａにてそれぞれ検出される電波強度Ｖ１〜Ｖ６は、Ｖ２＞Ｖ１＞Ｖ３＝Ｖ４＝Ｖ５＝Ｖ６の関係となる。
【００６３】
〔回転角１８０°の裏向きの姿勢について〕
「回転角１８０°」の「裏向き」の姿勢でカード型媒体２Ａをゲーム機に載置した場合（第２仮想領域Ｖａ２Ａに対向させ、かつ中心位置Ｃ１Ａ，Ｃ２Ａ同士を略合致させた場合）には、第１媒体側アンテナ２２４Ａは、第３検出用アンテナ４３１Ａに対向する。また、第２媒体側アンテナ２２５Ａは、第２検出用アンテナ４２１Ａに対向する。このため、第１〜第６強度検出部４１２Ａ，４２２Ａ，４３２Ａ，４４２Ａ，４５２Ａ，４６２Ａにてそれぞれ検出される電波強度Ｖ１〜Ｖ６は、Ｖ３＞Ｖ２＞Ｖ１＝Ｖ４＝Ｖ５＝Ｖ６の関係となる。
【００６４】
〔回転角２４０°の裏向きの姿勢について〕
「回転角２４０°」の「裏向き」の姿勢でカード型媒体２Ａをゲーム機に載置した場合（第２仮想領域Ｖａ２Ａに対向させ、かつ中心位置Ｃ１Ａ，Ｃ２Ａ同士を略合致させた場合）には、第１媒体側アンテナ２２４Ａは、第４検出用アンテナ４４１Ａに対向する。また、第２媒体側アンテナ２２５Ａは、第３検出用アンテナ４３１Ａに対向する。このため、第１〜第６強度検出部４１２Ａ，４２２Ａ，４３２Ａ，４４２Ａ，４５２Ａ，４６２Ａにてそれぞれ検出される電波強度Ｖ１〜Ｖ６は、Ｖ４＞Ｖ３＞Ｖ１＝Ｖ２＝Ｖ５＝Ｖ６の関係となる。
【００６５】
〔回転角３００°の裏向きの姿勢について〕
「回転角３００°」の「裏向き」の姿勢でカード型媒体２Ａをゲーム機に載置した場合（第２仮想領域Ｖａ２Ａに対向させ、かつ中心位置Ｃ１Ａ，Ｃ２Ａ同士を略合致させた場合）には、第１媒体側アンテナ２２４Ａは、第５検出用アンテナ４５１Ａに対向する。また、第２媒体側アンテナ２２５Ａは、第４検出用アンテナ４４１Ａに対向する。このため、第１〜第６強度検出部４１２Ａ，４２２Ａ，４３２Ａ，４４２Ａ，４５２Ａ，４６２Ａにてそれぞれ検出される電波強度Ｖ１〜Ｖ６は、Ｖ５＞Ｖ４＞Ｖ１＝Ｖ２＝Ｖ３＝Ｖ６の関係となる。
【００６６】
〔まとめ〕
以上説明したように、回転角０°、６０°、１２０°、１８０°、２４０°、３００°の表向き及び裏向きの１２個の姿勢において、第１〜第６強度検出部４１２Ａ，４２２Ａ，４３２Ａ，４４２Ａ，４５２Ａ，４６２Ａにてそれぞれ検出される電波強度Ｖ１〜Ｖ６の関係は、全て異なる関係となる。このため、制御コントローラ１００は、例えば内部メモリに記録されたルックアップテーブル等を参照することで、当該関係から当該１２個の姿勢を判別することができる。
【００６７】
以上説明した本実施の形態２のように回転角０°、６０°、１２０°、１８０°、２４０°、３００°の表向き及び裏向きの１２個の姿勢でカード型媒体２Ａをゲーム機に載置する構成に適用した場合であっても、上述した実施の形態１と同様の効果を奏する。
【００６８】
（実施の形態３）
次に、本実施の形態３について説明する。
以下の説明では、実施の形態１と同様の構成には同一符号を付し、その詳細な説明は省略または簡略化する。
図７は、本実施の形態３に係るカード型媒体２Ｂを示す図である。
上述した実施の形態１に係るカード型媒体２（ＲＦＩＤタグ２２、アンテナ２２１）では、第１，第２媒体側アンテナ２２４，２２５は、巻き数を異なるものとすることで、通電により送信する電波の電波強度を異なるものとしていた。
これに対して本実施の形態３に係るカード型媒体２Ｂ（ＲＦＩＤタグ２２Ｂ、アンテナ２２１Ｂ）では、図７に示すように、本発明に係る媒体側アンテナにそれぞれ相当する第１，第２媒体側アンテナ２２４Ｂ，２２５Ｂは、巻き数が同一（図７の例では巻き数が１回）で開口面積が異なる。その結果、第１，第２媒体側アンテナ２２４Ｂ，２２５Ｂは、通電により送信する電波の電波強度が異なる。具体的に、第１媒体側アンテナ２２４Ｂの開口面積は、第２媒体側アンテナ２２５Ｂの開口面積よりも大きく設定されている。すなわち、第１媒体側アンテナ２２４Ｂから送信される電波の電波強度は、第２媒体側アンテナ２２５Ｂから送信されえる電波の電波強度よりも高い。
以上説明したカード型媒体２Ｂは、本発明に係るデータ記録媒体に相当する。
【００６９】
なお、本実施の形態３に係るデータ読取装置の構成は、上述した実施の形態１で説明したデータ読取装置３の構成と同一であるため、説明を省略する。また、本実施の形態３に係るカード型媒体２Ｂの表裏及び回転状態の判別方法は、上述した実施の形態１で説明したカード型媒体２の表裏及び回転状態の判別方法と同一であるため、説明を省略する。
【００７０】
以上説明した本実施の形態３のように第１，第２媒体側アンテナ２２４Ａ，２２５Ａの開口面積を異なるものとした場合であっても、上述した実施の形態１と同様の効果を奏する。
【００７１】
（その他の実施の形態）
ここまで、本発明を実施するための形態を説明してきたが、本発明は上述した実施の形態１〜３によってのみ限定されるべきものではない。
上述した実施の形態１〜３では、本発明に係る通信システムをゲーム機に利用されるシステムで構成していたが、その用途は、ゲーム機に限らない。
上述した実施の形態１〜３では、本発明に係るデータ記録媒体をカード型媒体２，２Ａ，２Ｂで構成していたが、その他の形状、例えば、コイン型の部材にＲＦＩＤタグ２２，２２Ａ，２２Ｂを内蔵した構成としても構わない。
【００７２】
上述した実施の形態１〜３では、中心位置Ｃ１を中心として９０°毎にカード型媒体２，２Ｂを回転させた姿勢、あるいは、中心位置Ｃ１Ａを中心として６０°毎にカード型媒体２Ａを回転させた姿勢でゲーム機に載置する構成としていたが、これに限らない。６０°や９０°以外の角度α毎にデータ記録媒体を回転させた姿勢でゲーム機に載置する構成に適用したシステムを採用しても構わない。この際、第１分割領域の分割数は、３６０／αとなる。そして、当該分割数の第１分割領域うち２つの第１分割領域に第１媒体側アンテナ２２４，２２４Ａ，２２４Ｂ及び第２媒体側アンテナ２２５，２２５Ａ，２２５Ｂをそれぞれ設ければよい。一方、第２分割領域の分割数は、第１分割領域の分割数と同一の３６０／αとなる。そして、当該分割数の第２分割領域の全てに検出部４，４Ａをそれぞれ設ければよい。
【００７３】
上述した実施の形態１〜３では、受信用アンテナ５，５Ａ、アンテナ２２１，２２１Ａ，２２１Ｂ、第１媒体側アンテナ２２４，２２４Ａ，２２４Ｂ、第２媒体側アンテナ２２５，２２５Ａ，２２５Ｂ、第１検出用アンテナ４１１，４１１Ａ、第２検出用アンテナ４２１，４２１Ａ、第３検出用アンテナ４３１，４３１Ａ、第４検出用アンテナ４４１，４４１Ａ、第５検出用アンテナ４５１Ａ、及び第６検出用アンテナ４６１Ａをループアンテナでそれぞれ構成していたが、これに限らず、その他のアンテナで構成しても構わない。
【符号の説明】
【００７４】
１，１Ａ  通信システム
２，２Ａ，２Ｂ  カード型媒体（データ記録媒体）
３，３Ａ  データ読取装置
４，４Ａ  検出部
５，５Ａ  受信用アンテナ
６  制御部
２１，２１Ａ  カード本体
２２，２２Ａ，２２Ｂ  ＲＦＩＤタグ
４１，４１Ａ  第１検出部
４２，４２Ａ  第２検出部
４３，４３Ａ  第３検出部
４４，４４Ａ  第４検出部
４５Ａ  第５検出部
４６Ａ  第６検出部
１００  制御コントローラ
２２１，２２１Ａ，２２１Ｂ  アンテナ
２２２  ＩＣチップ
２２３  共振用コンデンサ
２２４，２２４Ａ，２２４Ｂ  第１媒体側アンテナ（媒体側アンテナ）
２２５，２２４Ａ，２２５Ｂ  第２媒体側アンテナ（媒体側アンテナ）
４１１，４１１Ａ  第１検出用アンテナ（検出用アンテナ）
４１２，４１２Ａ  第１強度検出部
４２１，４２１Ａ  第２検出用アンテナ（検出用アンテナ）
４２２，４２２Ａ  第２強度検出部
４３１，４３１Ａ  第３検出用アンテナ（検出用アンテナ）
４３２，４３２Ａ  第３強度検出部
４４１，４４１Ａ  第４検出用アンテナ（検出用アンテナ）
４４２，４４２Ａ  第４強度検出部
４５１Ａ  第５検出用アンテナ（検出用アンテナ）
４５２Ａ  第５強度検出部
４６１Ａ  第６検出用アンテナ（検出用アンテナ）
４６２Ａ  第６強度検出部
ＢＯ，ＢＯＡ  境界線
Ｃ１，Ｃ１Ａ，Ｃ２，Ｃ２Ａ  中心位置
Ｄ１１，Ｄ１１Ａ  第１左上領域（第１分割領域）
Ｄ１２，Ｄ１３Ａ  第１左下領域（第１分割領域）
Ｄ１２Ａ  第１左中領域（第１分割領域）
Ｄ１３，Ｄ１４Ａ  第１右下領域（第１分割領域）
Ｄ１４，Ｄ１６Ａ  第１右上領域（第１分割領域）
Ｄ１５Ａ  第１右中領域（第１分割領域）
Ｄ２１，Ｄ２１Ａ  第２左上領域（第２分割領域）
Ｄ２２，Ｄ２３Ａ  第２左下領域（第２分割領域）
Ｄ２２Ａ  第２左中領域（第２分割領域）
Ｄ２３，Ｄ２４Ａ  第２右下領域（第２分割領域）
Ｄ２４，Ｄ２６Ａ  第２右上領域（第２分割領域）
Ｄ２５Ａ  第２右中領域（第２分割領域）
Ｖ１〜Ｖ６  電波強度
Ｖａ１，Ｖａ１Ａ  第１仮想領域
Ｖａ２，Ｖａ２Ａ  第２仮想領域
【図１】
2019075753.tif 000003
【図２】
2019075753.tif 000004
【図３】
2019075753.tif 000005
【図４】
2019075753.tif 000006
【図５】
2019075753.tif 000007
【図６】
2019075753.tif 000008
【図７】
2019075753.tif 000009